(57)【要約】ｃｄｍａ２０００における迅速なページング・チャンネル上のページング指標（ＰＩ）ビットといった、無線通信システムにおいて指定された時間に時々送信されるデータを処理する技術。これらの技術は実質的にいつでも開始するかもしれず、且つ細かな時間増分に基づいて選択される休眠期間を有する休眠サイクルを支援する。増分はレーク受信器のフィンガ・プロセッサ及びシンボル結合器が休眠から立上がるとき適切な位置に容易に移動できるように選択される。必要であれば、技術はまたシンボル結合器のタイミングを受信信号中の特定のマルチパスのタイミングに整列するために提供される。これらの技術によって、端末は一対の割当てられたＰＩビットの間に休眠を実行し、そして立上げを行い、そして単一のＰＩビットを処理する。
2004510385.tif 000002
【特許請求の範囲】
【請求項１】
ＣＤＭＡ通信システムにおいて電力を節約し、且つ待機を延長するために、ＱＰＣＨページング指標ビットを処理する方法であって：
休眠条件を確認すること；及び
１／４以下の非倍数を持つＰＮロール内で休眠開始期間を始動することを含む方法。
【請求項２】
ＣＤＭＡ通信システムにおいて電力を節約し、且つ待機を延長するために、ＱＰＣＨページング指標ビットを処理する方法であって：
休眠条件を確認すること；及び
任意のときに休眠開始を始動し、斯くしてシンボル結合器におけるロール事象を強制するためにフィンガ・ロールの使用を除外することを含む方法。
【請求項３】
無線通信システムにおいて、特定の符号チャンネル上で指定時間に送信されたデータを処理する方法であって：
休眠を確認すること；及び
休眠期間の断片的な部分が４分の１ＰＮ列長以下であり、送信の前にデータを拡散するために使用されるＰＮ列の長さの非整数倍数の期間の休眠を実行することを含む方法。
【請求項４】
データが迅速なページング・チャンネル（ＱＰＣＨ）上で送信されるページング指標ビットに対応する、請求項３の方法。
【請求項５】
休眠が特定のＱＰＣＨスロット中の一対のページング指標ビットの間で実行される、請求項４の方法。
【請求項６】
データがページング・チャンネル（ＰＣＨ）上で送信されるページ・メッセージに対応する、請求項３の方法。
【請求項７】
データが同報チャンネル上で送信される同報メッセージに対応する、請求項３の方法。
【請求項８】
休眠期間がＰＮ列長の４分の１以下の時間増分の整数倍数として選択される、請求項３の方法。
【請求項９】
時間増分がＰＮ列をマスクするために使用されるマスクに基づいて選択される、請求項８の方法。
【請求項１０】
時間増分がシンボルを記憶するために使用されるバッファの大きさに基づいて選択される、請求項８の方法。
【請求項１１】
時間増分が６４ＰＮチップの整数倍数として選択される、請求項８の方法。
【請求項１２】
時間増分が５１２ＰＮチップとして選択される、請求項１１の方法。
【請求項１３】
休眠を実行することは休眠期間の間、復調器及び復号器のハードウェアへのクロックを取り去ることを含む、請求項３の方法。
【請求項１４】
休眠を実行することは休眠期間の間、ＲＦ回路の選択されたものを不能にすることを含む、請求項３の方法。
【請求項１５】
休眠から立上がりの後、中断を生成することを更に含む、請求項３の方法。
【請求項１６】
立上がりでクロックが再可動されるとき、中断がハードウェアによって生成される、請求項１５の方法。
【請求項１７】
立上がりの後信号探索の終了に対応して中断が生成される、請求項１５の方法。
【請求項１８】
信号探索が休眠に入る前にプログラムされる、請求項１７の方法。
【請求項１９】
現在の時間と次の処理時間の間の時間期間が特定の閾値時間を越えれば、休眠時間が確認される、請求項３の方法。
【請求項２０】
通信システムがＣＤＭＡシステムである、請求項３の方法。
【請求項２１】
ＣＤＭＡシステムがＩＳ−９５またはｃｄｍａ２０００を実施する、請求項２０の方法。
【請求項２２】
休眠条件を確認し；及び
休眠期間の断片的な部分が４分の１ＰＮ列長以下であり、送信の前にデータを拡散するために使用されるＰＮ列の長さの非整数倍数である期間の休眠を始めるために、ディジタル情報を解釈することが可能なディジタル信号処理デバイス（ＤＳＰＤ）に伝送のため接続されたメモリ。
【請求項２３】
ＣＤＭＡ通信システムにおいて、迅速なページング・チャンネル（ＱＰＣＨ）上で送信されるページング指標 （ＰＩ）ビットを処理する方法であって：
第一のＰＩビットを処理するために、最初の休眠から立上がること；
第二のＰＩビットまで第二の休眠を実行すること；
第二のＰＩビットを処理するために、第二の休眠から立上がること；及び
次の処理時間まで第三の休眠を実行することを含む方法。
【請求項２４】
第一のＰＩビットがやがて到来するスロットのページ・メッセージでないことを指示するＯｆｆビットとして検出されれば、第二のＰＩビットを処理する立上がりは実行されない、請求項２３の方法。
【請求項２５】
ページ・メッセージを処理するため第三の休眠から立上がることを更に含む、請求項２３の方法。
【請求項２６】
第二のＰＩビットがやがて到来するスロットのページ・メッセージでないことを指示するＯｆｆビットとして検出されれば、ページ・メッセージを処理する立上がりは実行されない、請求項２５の方法。
【請求項２７】
第一及び第二のＰＩビットは同じＱＰＣＨスロット中に位置する、請求項２３の方法。
【請求項２８】
休眠条件を確認するために動作する第一のコントローラ；及び
休眠期間の断片的な部分がＰＮ列長の４分の１以下であり、送信の前にデータを拡散するために使用されるＰＮ列の長さの非整数倍数の期間の休眠を実行するために動作する休眠コントローラを含む無線通信システムにおける端末。
【請求項２９】
端末内の選択された回路のクロックを休眠の期間の間不能にするように動作するクロック発生器を更に含む、請求項２８の受信器ユニット。
【請求項３０】
休眠からの立上がり後中断を提供するために動作する探索器要素を更に含む、請求項２８の受信器ユニット。
【請求項３１】
端末のシステム時間がリセットされるＰＮロール事象を提供するために動作する少なくとも一個のフィンガ・プロセッサを含む、請求項２８の受信器ユニット。
【発明の詳細な説明】
【０００１】
関連特許出願
この特許出願は２０００年９月２６日に出願された「迅速なページング・チャンネル（ＱＰＣＨ）のページング指標（ＰＩ）ビットを処理する方法（ＭＥＴＨＯＤ ＯＦ ＰＲＯＣＥＳＳＩＮＧ ＱＵＩＣＫ ＰＡＧＩＮＧ ＣＨＡＮＮＥＬ （ＱＰＣＨ） ＰＡＧＩＮＧ ＩＮＤＩＣＡＴＯＲ （ＰＩ） ＢＩＴＳ）」と題する米国仮特許出願第６０／２３５，４１６号の利益を請求するものであり、これは全ての点について完全に引用文献としてここに組込まれる。
【０００２】
発明の背景
分野
本発明はデータ通信に関し、特に迅速なページング・チャンネル上のページング指標ビットといった符号チャンネル上で指定された時間に散発的に（たとえ少しでも）送信されるデータを処理するための技術に関係する。
【０００３】
無線（例えば、携帯）通信システムにおける端末はある瞬間に作動中及び待機といった、幾つかのモードのうちの一つで動くように一般的に設計されている。作動モードにおいて、端末は（例えば、音声またはデータ呼出に関して）データを一以上の基地局と活発に交換することができる。そして待機モード（また遊休モードともいう）において、端末は一般的にその端末に送られたメッセージに関するページング・チャンネルを監視する。そのようなメッセージは呼出入力（即ち、ページ・メッセージ）の存在を端末に警報するメッセージ及び端末のシステム・パラメータ（即ち、オーバーヘッド・メッセージ）を更新するメッセージを含む。
【０００４】
遊休モードの間、端末は基地局から送信される信号を監視するために必要な回路を維持する電力を消費し続ける。多くの端末（例えば、携帯電話）は携帯用であり、内部電池によって電力を供給される。遊休モードの間に端末による電力消費は利用可能な電池資源を減少させ、そのことは電池の再充電と、呼出がかかったり受信される「通話（ｔａｌｋ）」時間との間の「待機（ｓｔａｎｄｂｙ）」時間を短くする。従って、電池の寿命を増加するために遊休モードにおいて端末の電力消費を最小限にすることが非常に望ましい。
【０００５】
遊休モードにおける端末の電力消費を低減する一技術では、ページング・チャンネル上のメッセージは指定時間に端末（たとえ少しでも） に送られる。ＩＳ−９５及びｃｄｍａ２０００について、ページング・チャンネルは番号のついた「スロット」に分割され、そして端末は前もって通信を確立した基地局により一以上のスロットを割当てられる。そのようなスロット化ページング・チャンネルにおいて、端末は連続的ではなく定期的に基地局からメッセージに関するページング・チャンネルを監視する。端末はその割当てられたスロットに先立つ「不作動（ｉｎａｃｔｉｖｅ）」の状態から立上がって、「作動（ａｃｔｉｖｅ）」状態に入り、メッセージに関するページング・チャンネルを処理し、そして別の通信が必要でなければ不作動の状態に戻る。受信メッセージが別の動作を行うために端末を必要とすれば、端末は作動状態（また、「立上がり（ａｗａｋｅ）」状態ともいう）に留まる。作動状態が連続する期間においては、端末は不作動状態にあり、基地局はメッセージを端末に全く送らない。
【０００６】
遊休モードにおける端末の電力消費を低減する別の技術では、迅速なページング・チャンネル（ＱＰＣＨ）はページ・メッセージがページング・チャンネル上で端末に送られるかどうかを指示するために使用される。迅速なページング・チャンネルは二元のＯｎ／Ｏｆｆビットとして送られる多数のページング指標ビットを含む。各端末は各（８０ｍｓ）ＱＰＣＨスロットについてハッシュ関数に基づく割当ページング指標ビットの位置をもった二つのページング指標ビットを割当てられる。ページング指標ビットは更に迅速に検出され、そしてメッセージがページング・チャンネル上で端末に送られないことをこれらのビットが示せば、端末はページング・チャンネルを処理する必要がなく、休眠に入る。
【０００７】
不作動状態では、できるだけ多くの回路は一般的に電力を保存するために電力低下される。これは一部のアナログ回路（例えば、ＲＦ回路）には電力の供給を止め、一部のディジタル回路にはクロックを停止することになる。休眠の間、高精度発振器、休眠タイマ及び他の必要な回路だけは作動状態に保たれる。
【０００８】
作動状態においてページング・チャンネルを処理するために、端末は送信基地局のタイミングを獲得し、且つ同期させることが必要である。作動状態の初めの部分において再獲得の間、その端末は一般的に受信信号における強い信号段階（またはマルチパス）を探し、見つけた十分な強さの各マルチパスのタイミング及び周波数を獲得する。そのタイミングは一般に基地局でデータを拡散するために使用される（複素）疑似乱数（ＰＮ）列の位相から得られる。
【０００９】
強いマルチパスについて全ＰＮ符号空間の完全な探索は一般に長い時間を必要とするが、しかし、端末が休眠から立上がったとき、マルチパスのタイミングが分からなければ必要となってくる。完全な探索の必要性を避けるために、立上がり時にクロックが続いてゲートされるとき、回路のタイミングがおおよそシステム・タイミングと合うように、通常、ディジタル回路は正確な時間の間閉止される。
【００１０】
ＩＳ−９５及びｃｄｍａ２０００システムについて、データ・フレームは２０ｍｓにわたってインタリーブされ、ＰＮ列は２６．６７ｍｓの期間を有する。（２０ｍｓ）フレーム・タイミングと２６．６７ｍｓＰＮタイミングの両方に共通な最短期間は８０ｍｓで、それは４フレーム及び３ＰＮ列の範囲にある。休眠期間が８０ｍｓの整数倍数になるように選択されれば、端末が休眠から立上がるとき、端末のタイミングはおおよそシステム・タイミングと合い、そして端末が休眠に入ってからフレーム及びＰＮ列のいくらかの整数倍の時間だけが経過することになる。立上がりにおけるおおよそ正しいタイミングで、限られた探索がマルチパスを見つけ、且つ獲得するために行われる必要があるのみである。このように、休眠期間は８０ｍｓの整数倍数、またはフレーム及びＰＮタイミングの最小公倍数になるように通常は選択される。
【００１１】
休眠期間に関して８０ｍｓの大ざっぱな増加は休眠へ及び休眠から素早く移行する端末の能力を制限する。従って、端末は必要なチャンネルを処理するために必要な作動状態において多くの時間を費やす。作動状態における電力消費は一般に不作動状態のときより何倍も大きいので、作動状態で費やされた時間を低減することは待機において直接的、且つ重要な改善をもたらす。
【００１２】
従って、電力消費を低減するために時々送信されるデータ（例えば、迅速なページング・チャンネル上のページング指標ビット）を更に能率的に処理する技術が当技術分野において必要性がある。
【００１３】
概要
本発明の態様は迅速なページング・チャンネル（ＱＰＣＨ）上のページング指標（ＰＩ）ビット及びｃｄｍａ２０００におけるページング・チャンネル（ＰＣＨ）上のページ・メッセージといった、無線通信システムにおいて指定時間に時々送信される（たとえ少しでも）データを処理する技術を提供する。
【００１４】
ここに記述された技術は実質的にいつでも開始でき、細かい時間増分（または休眠定量）に基づいてさらに選択される休眠期間を有する休眠サイクルを提言する。例えば、休眠定量は以下で記述される設計例については５１２ＰＮチップ（ｃｄｍａ２０００では４１６．６μｓｅｃである）が選択される。ここに記述された技術は適切なタイミングがＣＤＭＡシステムにおいて受信された信号を変調するために使用されるレーク（ｒａｋｅ）受信器のフィンガ・プロセッサ及びシンボル結合器について維持されることを保証する。実施例では、休眠定量はシンボル結合器で使用されるシンボル・バッファの大きさ（ｓｉｚｅ）の整数倍数及び「マスキング（ｍａｓｋｉｎｇ）」により得られれるＰＮ位相変位（ｐｈａｓｅ　ｓｈｉｆｔ）の整数倍数になるように選択される。この休眠定量は休眠から立上がる際フィンガ・プロセッサ及びシンボル結合器が適切な位置に容易に移動できることを保証する。もし必要ならば、様々な技術が受信信号において特定のマルチパスのタイミングにシンボル結合器のタイミングを合わせるために提供される。
【００１５】
一つの特定の応用では、ここに記述された技術はＱＰＣＨ上で送信されるＰＩビットを検出するために使用すると具合がよい。比較的細かな増分（例えば、５１２ＰＮチップの整数倍数）で休眠期間を選択し、休眠を開始し、いつでも丁度に立上げる能力によって、端末は同じＱＰＣＨにおける一対の割当てられたＰＩビット間の、または割当てられたＰＩビットとＰＣＨスロットの開始の間で休眠を実行できる。立上げをし、単一ＰＩビットを処理する能力によって、電力消費は減少し、待機時間が延長される。
【００１６】
ここに記述された技術はＩＳ−９５、ｃｄｍａ２０００、及びＷ−ＣＤＭＡといった、種々のＣＤＭＡ及び無線通信システムに使用できる。
【００１７】
以下で詳細に記述されるように、本発明はさらに本発明の様々な態様、実施例、及び特徴を実行する方法、装置（例えば、端末）、及び他の要素を提供する。
【００１８】
本発明の特徴、特性、および長所は、同様な参照符号が全体にわたり対応して同一である図面と関連して取られる以下に始まる詳細な記述からさらに明らかになるであろう。
【００１９】
詳細な説明
図１は本発明の様々な態様及び実施例が実行される無線通信システム１００の図である。システム１００は多数の地理的領域１０２に関する適用範囲を提供するいくつかの基地局１０４を含む。基地局はまた基地送受信システム（ＢＴＳ）またはアクセス・ポイントとして参照され、基地局及びその被蔽領域はまたセルとして参照される。システム１００はＩＳ−９５、ｃｄｍａ２０００、ＩＳ−８５６、及びＷ−ＣＤＭＡ、及び／または他のいくつかの規格といった一以上のＣＤＭＡ規格を実行するように設計されている。
【００２０】
図１に示されたように、様々な端末１０６はシステムの至る所に分散される。実施例において、各端末１０６は端末が作動しているかどうか、及びソフト・ハンドオフしているかどうかによってある所定の時に順方向及び逆方向回線上で通信できる。順方向回線（即ち、下り回線）は基地局から端末への送信を意味し、逆方向回線（即ち、上り回線）は端末から基地局への送信を意味する。
【００２１】
図１に示された例では、基地局１０４ａは順方向回線上で端末１０６ａに送信し、基地局 １０４ｂは端末１０６ｂ及び１０６ｉに送信し、基地局１０４ｃは端末１０６ｄ及び１０６ｆ、等々に送信する。図１では、矢印を持つ実線は基地局から端末へのユーザ特定のデータ送信を示す。矢印の破線は端末がパイロット及び他の信号（例えば、ページング指標ビット、ページ・メッセージ）を受信しつつあること示しているが、しかし基地局から特定のデータ送信は示していない。逆方向回線通信は簡単のため図１では示されない。
【００２２】
図２は基地局１０４及び端末１０６の実施例の簡単なブロック図であり、それは本発明の様々な態様及び実施例を実行することが可能である。基地局１０４において、順方向回線上で、送信（ＴＸ）データ・プロセッサ２１４はデータ源２１２からのユーザ特定データ、コントローラ２３０からのメッセージ（例えば、ページ・メッセージ、ページング指標ビット）、等々といった別の型のトラフィックを受信する。ＴＸデータ・プロセッサ２１４は符号化データを提供するため一以上の符号化方式に基づいてデータ及びメッセージをフォーマットし、且つ符号化する。各符号化方式は巡回冗長検査（ＣＲＣ）、畳込み、ターボ（Ｔｕｒｂｏ）ブロック、及び他の符号化、または全く符号化しないことのあらゆる組合せを含む。一般に、異なる型のトラフィックは異なる符号化方式を用いて符号化される。
【００２３】
そして、変調器（ＭＯＤ）２１６はＴＸデータ・プロセッサ２１４からパイロット・データ及び符号化されたデータを受信し、変調データを生成するために更に受信データを処理する。ＩＳ−９５及びｃｄｍａ２０００システムについて、変調器２１６による処理は、（１）それぞれの符号チャンネル上へユーザ特定データ、メッセージ、及びパイロット・データを送り込むためにウォルシュ符号で符号化及びパイロット・データを覆うこと、及び（２）基地局に割当てられたＰＮオフセットを有する（複素）疑似乱数（ＰＮ）列をもつチャンネル化データを拡散することを含む。そして、変調データは送信器ユニット（ＴＭＴＲ）２１８に供給され、順方向変調信号を生成するために調整され（例えば、一以上のアナログ信号に変換され、増幅され、濾過（フィルタ）され、且つ直交変調される）、それはアンテナ２２０経由して、無線回線上で端末に送信される。
【００２４】
端末１０６では、順方向変調信号はアンテナ２５０によって受信され、受信器ユニット（ＲＣＶＲ）２５２に供給される。受信器ユニット２５２は受信信号を処理（例えば、フィルタ、増幅、ダウンコンバート、及びディジタル化）し、データ標本を提供する。そして、復調器（ＤＥＭＯＤ）２５４は復調シンボルを提供するためにデータ標本を受信、且つ処理する。ＩＳ−９５及びｃｄｍａ２０００システムについて、復調器２５４による処理は、（１）基地局でデータを拡散するために使用された同じＰＮ列でデータ標本を逆拡散すること、（２）受信データ及びメッセージをそれぞれの符号チャンネルに乗せるため逆拡散標本を逆被蔽すること、及び（３）受信信号から復調されたパイロット信号でチャンネル化データを整合復調することを含む。復調器２５４は、以下に記載されるように、受信信号中の多重信号段階を処理できるレーク受信器を実施する。
【００２５】
そして、受信（ＲＸ）データ・プロセッサ２５６は順方向回線上で送信されたユーザ特定データ及びメッセージを再生するために復調器２５４からシンボルを受信し、復号する。迅速なページングチャンネル上のページング指標ビットのような符号化されないデータについて、復調器２５４から再生されたシンボルは再生データを含む。復調器２５４及びＲＸデータ・プロセッサ２５６による処理は基地局で変調器及びＴＸデータ・プロセッサによってそれぞれ行われる処理と相補的である。
【００２６】
図３は一以上の基地局から送信された順方向変調信号を受信し、復調することができるレーク受信器２５４ａの実施例のブロック図である。レーク受信器２５４ａはいくつかのフィンガ・プロセッサ３１０、探索器３１２、及びシンボル結合器３３０を含む。レーク受信器２５４ａは図２において復調器２５４を実施するために使用される。
【００２７】
マルチパス環境により、基地局から送信された順方向変調信号はいくつかの信号路を経由して端末に到達する。このようにして端末で受信された信号は一以上の送信基地局の各々からの順方向変調信号の多重段階を含む。受信信号中の各信号段階（またはマルチパス）は一般に特定の大きさ、位相、及び到着時間と関連している。
【００２８】
受信器ユニット２５２は受信信号を調整（フィルタ、且つ増幅）し、調整された信号を直交ダウンコンバートし、そしてデータ標本を提供するためにダウンコンバートされた信号をディジタル化する。そして、データ標本はいくつかのフィンガ・プロセッサ３１０及び探索器３１２に供給される。
【００２９】
探索器３１２は受信信号における強いマルチパスを探し、一組の基準を満たす検知された各マルチパスの強度及びタイミングを提供するために使用される。探索器３１２は一または多数の探索器によって設計され、その各々がそれぞれの符号空間及び探索ウィンドウ（窓）にわたってマルチパスを探索するように設計されている。探索器ユニットは探索動作を加速するために並列で動作させることもある。そして、各フィンガ・プロセッサ３１０は関心のそれぞれのマルチパス（例えば、探索器３１２により供給された信号強度情報に基づいて主コントローラ２６０により決定された十分な強度のマルチパス）を処理するために割当てられる。
【００３０】
割当てられた各フィンガ・プロセッサ３１０内で、データ標本はＰＮ逆拡散器３２２に供給され、それはまた基地局で使用されるＰＮ列に対応し、且つフィンガ・プロセッサにより処理されるｉ番目のマルチパスの到着時間に対応する時間オフセットｔｉを有する（複素共役）ＰＮ列をＰＮ発生器３２６から受信する。そして、ＰＮ逆拡散器３２２は逆拡散標本を提供するためにデータが局所的に発生したＰＮ列とともにデータ標本を逆拡散する。
【００３１】
特定の符号チャンネル上のデータを再生するために、逆被蔽／データ復調器３２４は初めに符号チャンネルに使用される同じウォルシュ符号によって逆拡散標本を逆被蔽（即ち、掛算）し、その後データ・シンボルを提供するためにウォルシュ符号の長さにわたって逆被蔽信号を累積する。パイロット（信号）を再生するために、逆拡散標本はパイロットをチャンネルに乗せるために使用され、特定の累積時間間隔にわたって累積され、そしてパイロット評価値を提供するためにフィルタされた同じウォルシュ符号によって逆被蔽される。そして、逆被蔽／データ復調器３２４は復調シンボルを生成するためにパイロット評価値でデータ・シンボルを復調し、それはそれからフィンガ・プロセッサに関連するシンボル・バッファ３３２に供給される。
【００３２】
各フィンガ・プロセッサ３１０中のフィンガ・カウンタ３２８は関連するシンボル・バッファ３３２に関する書込みアドレス発生器として使用される。フィンガ・カウンタ３２８はＰＮ列の長さ（ＩＳ−９５及びｃｄｍａ２０００では２１５）を計数する巻込みカウンタ（ｗｒａｐ−ａｒｏｕｎｄ　ｃｏｕｎｔｅｒ）として実施され、ＰＮ列の最後に達する度に「巡回（ｒｏｌｌ　ｏｖｅｒ）」または「巻込み（ｗｒａｐ　ａｒｏｕｎｄ）」する。フィンガ・カウンタ３２８は（割当てられたマルチパスのオフセットに対応する）ＰＮ発生器に供給された同じＰＮチップのオフセットでリセットされ、各ＰＮチップについて一つだけ増分される。フィンガ・カウンタ３２８の出力は関連するシンボル・バッファ３３２の書込み指数またはアドレスとして使用される。
【００３３】
各シンボル・バッファ３３２は関連するフィンガ・プロセッサ３１０から復調シンボルを受信し、一時的に記憶させる。各バッファ３３２は最も早く及び最も遅く到着するマルチパスの間の予測される更に悪い場合の遅延拡散といった様々な考察に基づいて選択される大きさ（ｓｉｚｅ）を有する。一つの特定の実施において、他のいくつかのバッファ・サイズがまた使用でき、本発明の範囲内にあるけれども、各バッファ３３２は８個のシンボルを記憶可能な巡回バッファとして設計される。各データ・シンボルが６４ＰＮチップの逆被蔽データ標本を累積することによって生成されれば、８−シンボル・バッファの大きさは５１２ＰＮチップの時間期間を実効的に包含する。
【００３４】
各マルチパスは異なる伝搬遅延と到着時間を有するから、割当てられたフィンガ・プロセッサ３１０からの同指数のシンボルは異なる時間に関連するシンボル・バッファ３３２に書込まれる。各チップ時間で、割当てられたフィンガ・プロセッサ３１０に関する全てのバッファ３３２からの同指数のシンボルは結合するために加算器３３４に供給される。このように、バッファ３３２はまたしばしば「逆スキュー（ｄｅｓｋｅｗ）」バッファと言われる。
【００３５】
結合器カウンタ３３６はシンボル・バッファ３３２のための読出しアドレス発生器として使用される。結合器カウンタ３３６はまたフレーム及びＰＮタイミング（例えば、８０ｍｓ）の双方の整数倍数を計数する巻込み（ｗｒａｐ　ａｒｏｕｎｄ）カウンタとして実施され、巻込みを行う。結合器カウンタ３３６はＰＮチップの特定の数（例えば、２５６または３８４ＰＮチップ）だけ特定のフィンガ・カウンタ３２８（例えば、フィンガ・プロセッサが最も早く到着するマルチパスに割当てたもの）から遅延される。結合器カウンタ３３６の出力はバッファ３３２の読出し指数またはアドレスとして使用される。
【００３６】
加算器３３４は再生されたシンボルを提供するため各チップ時間にシンボル・バッファ３３２から時間整列された同指数のシンボルを受信し、結合する。そして、ＲＸデータ・プロセッサ２５６は加算器３３４から再生されたシンボルを受信し、復号データ及びメッセージを供給するためにシンボルを逆インタリーブし、復号する。パイロットの復調及びシンボルの結合は米国特許第５，７６４，６８７号に記述されたように達成されるが、この特許は参考文献としてここに組込まれている。
【００３７】
シンボル結合器３３０はまた一般に端末のシステム時間を維持する。シンボル結合器のタイミングは結合器カウンタから導かれ、それは以下に記述されるように、指定されたフィンガ・プロセッサのタイミングに基づいてゆっくりとまたは急激に「閉める」（即ちリセットする）ことで調節される。
【００３８】
主コントローラ２６０は復調及び復号処理を指示し、ハードウェアの休眠を制御するように設計される。符号チャンネルを処理する必要がなければ、主コントローラ２６０は休眠するよう休眠コントローラ３６４に命令を送信し、それに対応して休眠期間を表す値を休眠カウンタ３６２に供給する。そして、休眠コントローラ３６４は休眠カウンタ３６２を作動させ、更に様々なハードウェア要素に休眠に入るように指示するため様々な制御信号を生成する。例えば、休眠コントローラ３６４はクロック信号発生器にクロック信号の閉止を指示するため無能化信号を送信したり、受信器ユニット内のあるアナログ部品に電力低減信号を送信する。発振器３６８を高精度クロック源として使用して、休眠カウンタ３６２は休眠期間の秒読みを行い、秒読み値に達すると立上げ信号を供給する。休眠コントローラ３６４及びクロック信号発生器３６６はそれぞれ立上げ信号を受信し、アナログ回路に電源を入れ、そしてクロック信号を再稼働させる。
【００３９】
ここに記述された発明技術は一般に無線通信システムにおいて時々送られるあらゆる型のデータを処理するために使用できる。明確にするために、本発明の様々な態様及び実施例は特にｃｄｍａ２０００における迅速なページング・チャンネル及びページング・チャンネルについて記述される。
【００４０】
図４はｃｄｍａ２０００によって定義された迅速なページング・チャンネル（ＱＰＣＨ）、及びページング・チャンネル（ＰＣＨ）の図である。ＰＣＨは待機モードにおいて端末にページ・メッセージを送るために使用される。ページ・メッセージは比較的長く、そしていつでも出現できるので、ページ・メッセージに関するＰＣＨの継続的な監視は待機モードにおいて電池電力を著しく消耗する。斯くして、ＱＰＣＨ及びＰＣＨは、端末がページ・メッセージを受信する時間まで一部分のみ作動している必要があるように設計される。
【００４１】
ｃｄｍａ２０００において、ページング・チャンネルはＰＣＨスロットに分割され、その各々は８０ｍｓの時間期間を有する。各ＰＣＨスロットは更に４個の２０ｍｓフレームに分割される。一群の端末は、例えば、各端末に唯一のインターナショナル・モバイル加入者ＩＤ（Ｉｎｔｅｒｎａｔｉｏｎａｌ Ｍｏｂｉｌｅ Ｓｕｂｓｃｒｉｂｅｒ ＩＤ：ＩＭＳＩ）、モバイル識別番号（ｔｈｅ Ｍｏｂｉｌｅ Ｉｄｅｎｔｉｆｉｃａｔｉｏｎ Ｎｕｍｂｅｒ ：ＭＥＭ）、電子一連番号（ｔｈｅ Ｅｌｅｃｔｒｏｎｉｃ Ｓｅｒｉａｌ Ｎｕｍｂｅｒ ：ＥＳＮ）、または暫定モバイル加入者ＩＤ（ｔｈｅ Ｔｅｍｐｏｒａｒｙ Ｍｏｂｉｌｅ Ｓｕｂｓｃｒｉｂｅｒ ＥＤ ：ＴＭＳＩ）といった端末の識別情報に基づく割当によって各ＰＣＨスロットに割当てられる。ページング・チャンネルは符号化メッセージを「遊休」端末（即ち、システムによって登録され、待機モードにあるもの）に送信するために使用される。
【００４２】
ｃｄｍａ２０００では、迅速なページング・チャンネルはＱＰＣＨスロットに分割され、その各々は８０ｍｓの時間期間を有する。各ＱＰＣＨスロットは更にＡ、Ｂ、Ａ’、及びＢ’として４個のフレームに分割され、そして各フレームは９．６ｋｂｐｓまたは１９．２ｋｐｓがＱＰＣＨについて使用されるかどうかにによって９６または１９２ページング指標（ＰＩ）ビットを含む。各ＰＩビットはＯｎ／Ｏｆｆキーのあるビット（即ち、「０」＝Ｏｆｆ及び「１」＝Ｏｎをもつ「０」または「１」）である。割当てられたＰＣＨスロットの前１００ｍｓに始まるものである割当てられたＱＰＣＨスロットとともに、登録された各端末はそれぞれ割当てられた各ＱＰＣＨスロットについて二つのＰＩを割当てられる。割当てられたＰＩビットの位置は定義されたハッシュ関数とビットからビットまでの変化に基づいて決定される。割当てられた各ＱＰＣＨスロットに関して割当てられた一対のＰＩビットのうち、一ＰＩビットがフレームＡで送信され、第二ＰＩビットはフレームＡ’ で送信されるか、または一ＰＩビットがフレームＢで送信され、第二ＰＩビットはフレームＢ’ で送信される。この送信方法は、二つのＰＩビットが最小限の２０ｍｓ離れており、第二及び後のＰＩビットがＱＰＣＨスロットに関連するＰＣＨスロットの開始前に最小限の２０ｍｓで到着することを保証する。端末に関するＰＩビットは指定時間に時々送信される一つの型のデータと見なされる。
【００４３】
ＱＰＣＨはＰＣＨと共に使用され、ＰＣＨの制御チャンネルと同じように機能する。各ＱＰＣＨスロットは対応するＱＰＣＨスロットと関連しているが、しかし関連ＰＣＨスロットの１００ｍｓ前に送信される。ＱＰＣＨ上のＰＩビットは、符号化ページ・メッセージが関連ＰＣＨスロット内のＰＣＨ上で送信されようとしている端末に警報を出す迅速なページング信号である。
【００４４】
基地局がＰＣＨ上でページを送信する（または新しい構成情報を受信するため端末に立上げを求める）とき、基地局はＱＰＣＨスロットについて端末に割当てられた両ＰＩビットを「Ｏｎ」にする。一以上の端末は所定のＰＩビットを細分化（ｈａｓｈ）し、割当てられるので、「Ｏｎ」としての割当てられたＰＩビットを検出することは端末が実際に関連ＰＣＨスロット内でページ・メッセージ（または構成情報）を受信することを保証しない。しかしながら、「Ｏｆｆ」ビットとして検出されたＰＩビットは、端末がページングまたは他の情報に関する関連ＰＣＨスロットを処理する必要がないことを意味すると解釈され、それはページ・メッセージが符号化され、且つ長いかもしれないので電力消費を非常に減少することができる。
【００４５】
ＱＰＣＨ、ＰＣＨ、または他の符号チャンネルを適切に処理するために、それらの各々は送信に先立ってＰＮ列によって拡散され、端末は処理されるマルチパスのタイミングを獲得する必要がある。これは一般に様々な受信信号のデータ標本をチップまたはサブチップのオフセットで局所的に発生したＰＮ列と相関させることによって達成される。局所的に発生したＰＮ列がマルチパスのそれと時間整列されれば、高い相関値が獲得される。フィンガ・プロセッサはマルチパスを処理するために割当てられ、時間にわたって移動しながら（例えば、回線条件の変化により）マルチパスのタイミングを追尾することになる。
【００４６】
上で述べたように、復調器及び復号器のハードウェアへのクロック信号は端末が休眠している間は一般に閉止される。端末の立上がり後クロックが再印加されると、注意が休眠期間を選択する際働かなければ、復調器及び復号器のハードウェアはマルチパス・タイミングと整列できない。例えば、復調器及び復号器のハードウェアが元に戻されるとき、フィンガ・プロセッサ（即ち、ＰＮ発生器及びフィンガ・カウンタ）、探索器、シンボル結合器（即ち、結合器カウンタ）、及び逆インタリーブ器は調整不良になる。更に、休眠期間がＰＮ列の長さの整数倍数でなければ、データ標本と局所的に発生したＰＮ列の相関はタイミング調整不良により低い値になる。
【００４７】
休眠サイクルはまたシンボル結合器におけるＰＮロールの発生といった明確な境界上で普通には開始される。送信前にデータを拡散するために使用されるＰＮ列は固定長（例えば、３２，７６８チップ ）を有するが、しかし連続的な拡散列を生成するために連続的に繰返される。「ＰＮロール（ＰＮ　ｒｏｌｌ）」はＰＮ列の繰返しの発生を意味する（即ち、ＰＮ列は最後の３２，７６８のＰＮチップ指数に達した後、最初の０のＰＮチップ指数で再開始する）。ＩＳ−９５及びｃｄｍａ２０００について、ＰＮロールは２６．６７ｍｓ毎に発生する。「休眠サイクル」は、自動車部品、ヘッドホン、コンピュータ、等々からのキー・プレス、接続及び切断といった外部事象を確認するために、受信器、復調器、及び復号器のハードウェアを電源オンにしないで定期的に立上げることを恐らくは含み、当技術分野において全体の休眠手順を参照するためにしばしば使用される。
【００４８】
通常、休眠期間はフレーム・タイミング及びＰＮタイミング双方の整数倍数になるように選択される。ｃｄｍａ２０００について、これは８０ｍｓで、それは４個のデータ・フレームまたは３個のＰＮ列の時間期間である。８０ｍｓの整数倍数である休眠期間によって、復調器及び復号器のハードウェアはクロックの閉止に影響されることなく、休眠期間の間閉止されているにもかかわらずＰＮ列及び逆インタリーバフレーム化にそれらに内在する整列を維持する。特に、そのような休眠期間について、カウンタ３２８及び３３６、及びＰＮ発生器３２６の値は休眠から立上がり直後に受信信号のタイミングと一致する。しかしながら、休眠期間の８０ｍｓのこの粗い増分は休眠を効率的に行う端末の能力を制限する。休眠期間の増分はまた「休眠定量（ｓｌｅｅｐ　ｑｕａｎｔｕｍ）」と言われる。
【００４９】
「４分の１ロール時系列」は最近探究されたもので、それによると４個のフィンガ・プロセッサが４分の１ＰＮ列長（または、６．６７ｍｓ）だけお互いからオフセットされるＰＮ列に割当てられる。これは６．６７ｍｓ毎にそのＰＮ列上で４個のフィンガ・プロセッサの一つが回転する結果となる。シンボル結合器は一つのフィンガ・プロセッサ上のＰＮロールに「ぴたりと閉める（ｓｌａｍ）」ことができ、シンボル結合器のタイミングをそのフィンガ・プロセッサのタイミングに合わせることになる。更に、休眠コントローラ３６４はフィンガ・プロセッサのＰＮロールへの「閉込み（ｓｌａｍ）」が有効になるとき、休眠を始めるように設定される。この「閉込み−対−休眠（ｓｌａｍ−ｔｏ−ｓｌｅｅｐ）」技術は休眠定量を６．６７ｍｓに低減する。しかしながら、休眠サイクルは通常まだシンボル結合器におけるＰＮロールといった明確な境界上で始められる必要がある。
【００５０】
本発明の態様はデータが既知時間ではあるが時々（たとえ少しでも）送信されるあらゆるチャンネルを処理するために技術を提供する。これらの技術はｃｄｍａ２０００におけるＱＰＣＨ上のＰＩビット及びＰＣＨ上のページ・メッセージを処理するために使用すると有利である。ここに記述された技術は実質的にいつでも開始できる休眠サイクルを提言し、そして休眠期間を持つことは更に細かな休眠定量に基づいて選択される。例えば、休眠定量は以下に記述される設計例について５１２チップ（ｃｄｍａ２０００では４１６．６μｓｅｃ）が選択され、または他の設計では更に小さな値になるように恐らく選択される。
【００５１】
上で述べたように、端末に割当てられた二つのＰＩビットは８０ｍｓのＱＰＣＨスロット中で少なくとも２０ｍｓ離れて送信され、そして第二のＰＩビットは関連するＰＣＨスロットの開始前２０〜６０ｍｓに送信される。更に、これら二つのＰＩビットは、ＱＰＣＨに１９．２ｋｂｐｓまたは９．６ｋｂｐｓ速度（ｒａｔｅ）が使用されるかどうかに応じて、各々１０４．２μｓｅｃまたは２０８．３μｓｅｃである。８０ｍｓの休眠定量が休眠期間のために使用されれば、端末は双方のＰＩビットを復号するために全体のＱＰＣＨスロットについて立上げる必要がある。そして、２６．６７ｍｓまたは６．６７ｍｓの休眠定量が休眠期間に使用されれば、これはＰＩビットの短い期間と比較してまだ長い期間である。更に短い休眠定量、例えば端末がＰＩビットを検出するのに十分長く立上がることができる時間使用されれば、電池電力の実質的な量は保存できる。
【００５２】
少ない休眠定量を提言するために種々のタイミングの考察が取扱われる。最初に、端末が休眠から立上がるとき、フィンガ・プロセッサ及び探索器が適切なＰＮ位相に迅速に移動するように休眠定量は選択される。第二に、シンボル結合器がまた適切な位置に迅速に移動するように休眠定量は選択される。これら両方の考察は以下に更に詳細に記述される。
【００５３】
探索器及びフィンガのタイミング
図５ＡはＰＮ列について全体の符号空間を表す円の図である。ＰＮ列は、それぞれのＰＮチップ指数を割当てられたＰＮ列の各チップと共に、特定のデータ・パターン及び３２，７６８チップの固定長を有する。ＰＮ列の開始は０のＰＮチップ指数を割当てられ、ＰＮ列の最後のチップは３２，７６８のＰＮチップ指数が割当てられる。ＰＮ列は、円の上部に並べられたＰＮ列の開始（即ち、０のＰＮチップ指数は線５１２で指示された位置にある）をもち、円の円周５１０上に置かれると見なされる。図５Ａでは示されていないが、円周５１０は、それぞれのＰＮチップ指数に対応する各点をもち、３２，７６８の等分点に分割される。ＰＮ列の長さは円周５１０に沿って時計回り（右回り）の方向に移動させることにより旋回する。
【００５４】
図５Ａに示されたように、受信信号５２０は多数のマルチパスを含み、それは受信信号においてピークとして表される。各マルチパスは端末におけるそれぞれの到着時間と関連する。特定のマルチパスを見つけるために、受信信号に関するデータ標本は様々なチップまたはサブチップのオフセットで局所的に発生したＰＮ列と相関される。ＰＮ列の擬似乱数特性により、ＰＮ列とのデータ標本の相関は、局所的に発生したＰＮ列の位相がマルチパスの位相と合うときを除けば（この場合には相関が高い値になる）、低くならなければならない。探索されるチップ・オフセットの範囲は探索窓（ウィンドウ）を形成する。図５Ａで示された例において、マルチパスが受信信号中に発見され、４個のフィンガ・プロセッサはこれらのマルチパスを処理するために割当てられる。最も早く到着するマルチパスのタイミングは端末のシステム時間としてしばしば使用される。
【００５５】
図５Ａでまた示されたように、シンボル結合器の位置は最も早く到着するマルチパスの位置からＰＮチップの特定の数だけオフセットされ、それは矢印５１４で表される。シンボル結合器の位置と最も早く到着するマルチパスの間のこのオフセットは、例えば、２５６または３８４チップで、これは図５Ａでは目盛りが示されていない。
【００５６】
図５Ｂは休眠から立上がった後のＰＮ円の図である休眠期間がＰＮ列長の非整数倍数（即ち、非多重ＰＮロール）であるとき、そのマルチパスはフィンガ・プロセッサのタイミングに関して休眠期間の断片的なＰＮロール部分に比例してＰＮ円の周辺を移行するようにみえる。図５Ｂで示された例において、休眠期間は（Ｌ＋１／４）ＰＮロールで、ここでＬは整数である。そのマルチパスは１／４ＰＮロール（即ち、断片部）だけ移行し、それはＰＮ円上で逆時計回り（左回り）である。
【００５７】
図５Ｃは、休眠期間の断片的なＰＮロール部を説明するため、フィンガ・プロセッサが休眠から立上がりそれらの適切な位相に移行された後のＰＮ円の図である。断片的なＰＮロール部をもつ休眠期間によるマルチパスにおける移行を補償するために、探索器及びフィンガ・プロセッサ中のＰＮ発生器は断片的なＰＮロールと同じ量だけ及び同じ方向に移行される（例えば、図５Ｂで示された例についてはＰＮ円上で１／４逆時計回り（左回り））。このＰＮ位相移行は「転回（ｓｌｅｗｉｎｇ）」、「マスキング（ｍａｓｋｉｎｇ）」、または双方の組合せによって達成される。
【００５８】
転回によって、ＰＮ列を生成するために使用される線形列シフトレジスタ（ＬＳＳＲ）はＬＳＳＲに印加されるクロックを操作することによって順方向または逆方向に移動する。例えば、ＬＳＳＲがチップ速度で動作すれば、ＬＳＳＲはクロック・パルスを飛び越させることによって１ＰＮチップ後方へ転回され、付加クロック・パルスを挿入する（例えば、ＬＳＳＲを一度二重クロックする）ことにより１ＰＮチップ前方向に転回される。実施例では、特定の期間（例えば、約２ｍｓｅｃ）内のＰＮ円のどこにでもフィンガ・プロセッサを転回させる能力をもつ端末が設計される。これはフィンガ・プロセッサが比較的短い期間に適切な位置に転回されることを可能にし、それはその時ＰＮロールを適切に配置する。
【００５９】
マスキングによって、ＬＳＳＲにより生成された「一次（ｐｒｉｍａｒｙ）」ＰＮ列はＮ−ビット・マスクを受信するマスク回路に供給される（ＩＳ−９５及びｃｄｍａ２０００についてＮ＝１５）。そして、マスク回路は受信されたＰＮ列の位相に対して移行される位相を有する移行ＰＮ列を生成する。位相移行の量は適用されるマスクの値によって決定される。マスキングはこのように一次ＰＮ列の位相を新しい位相に効率的に「跳躍（ｊｕｍｐ）」させるために使用される。ＬＳＳＲ及びマスク回路はここに参考文献として組込まれている米国特許第５，２２８，０５４号に記載されているように実施できる。
【００６０】
マスクはあらゆる増分のＰＮ位相移行を提供するように生成される。しかしながら、ｃｄｍａ２０００システムにおいて基地局に割当てられたＰＮ列は６４ＰＮチップの整数倍数だけ相互から位相がオフセットされるので、６４ＰＮチップだけ離れたＰＮ列を生成可能なマスクはＰＮ列を所望の位相に移行させるために使用するため一般に蓄積（記憶）される。６４未満のＰＮチップ（例えば、３２、１６または８ＰＮチップ）増分でＰＮ列を移行できるマスクもまた蓄積（記憶）される。しかしながら、増加の大きさが二要素減少（例えば、６４から３２ＰＮチップへ減少）する度に、二倍多くのマスクが必要になり、必要メモリは約二倍になる。
【００６１】
マスキング及び転回はまたより少ない時間にあらゆる所望の位相をもつＰＮ列を提供するため組合わせて使用される。マスキングは粗い増分（例えば、６４ＰＮチップの増分）でＰＮ列の位相を調整するために使用される。そして、転回は細かな増分（例えば１／８ＰＮチップの増分）で所望の位相にＰＮ位相を調整するために使用される。マスキングはこのように別の場合に回転で行うと更に多くの時間をとるであろう大きな位相調整を行うために使用すると有利である。
【００６２】
実施例では、休眠から立上がった後適切なＰＮチップ・オフセットにＰＮ発生器を転回する必要性を回避するために、休眠期間はマスキング増分の整数倍数（例えば、６４ＰＮチップの倍数）になるように選択される。
【００６３】
実施例では、以下に記述される便宜を得るために、転回はフィンガ・プロセッサに使用され、そしてマスキングは探索器に使用される。
【００６４】
シンボル結合器のタイミング
上で述べたように、シンボル結合器は端末にシステム時間を提供するために使用され、そしてそのタイミングは一般に最も早く到着するマルチパスから得られる。結合器カウンタはシンボル結合器のタイミングを提供するために使用され、そしてタイミングまたは特定のフィンガ・プロセッサに基づいてゆっくりと或いは急激に閉込めて調節される。ここに使用されるように、「閉込め（ｓｌａｍ）」は既知の基準時間に（一般に８０ｍｓの）シンボル結合器のタイミングの（ゼロまたはある別の特定値への）リセットであり、それは指定されたフィンガ・プロセッサ（例えば、最も早く到着するマルチパスを処理するために割当てられたもの）上のＰＮロール事象により一般に始動される。
【００６５】
主コントローラは閉込めを可能、或いは無能にし、更に閉込めを行うために特定のフィンガ・プロセッサを選択する。閉込めによるタイミングの迅速な変化の他に、シンボル結合器のタイミングは、たとえ少しでも滑らかに（例えば、１６０ｍｓ毎にシンボル結合器のタイミングの変化が１／８チップ）変わるように一般的に指定される。非整数倍ＰＮロールの休眠の後の適切なシンボル結合器のタイミングを得るために技術がここに提供される。
【００６６】
断片的な ＰＮロールを持つ休眠期間はシンボル結合器のタイミングに影響を及ぼす。実施例において、結合器カウンタは休眠から立上がった後は補正されない。むしろ、休眠の断片的ＰＮロール部分は「事実上のシンボル結合器」のオフセットに加えられる。そして、システム時間は結合器カウンタからの値に事実上のシンボル結合器のオフセットを加えることによって得られる。この技術は２０００年３月３１日に出願され、本出願の譲請人に譲渡され、そしてここに参考文献として組込まれた、「新しい時間整列への跳躍後のシステム結合器の同期（Ｓｙｍｂｏｌ Ｃｏｍｂｉｎｅｒ Ｓｙｎｃｈｒｏｎｉｚａｔｉｏｎ ａｆｔｅｒ ａ Ｊｕｍｐ ｔｏ ａ Ｎｅｗ Ｔｉｍｅ Ａｌｉｇｎｍｅｎｔ）」と題する米国特許出願第０９／５４０．３０２号に更に詳細に記述されている。受信信号タイミングへのシンボル結合器のタイミングの整列が必要であれば、最も早く到着するマルチパスについてフィンガ・プロセッサへの閉込めが、このフィンガ・プロセッサのＰＮロール位置が（転回及び／またはマスキングにより）適切に設定されていたと仮定して、実行される。
【００６７】
図６はシンボル・バッファの書込み及び読出しのタイミングを図示する図である。上で述べたように、シンボル・バッファは一般的に円状バッファとして実施され、それらの書込み及び読出しポインタは各書込み及び読出しのためそれぞれ同じ方向に（例えば、図６では右方向に）前進する。シンボル結合器の深さは最も早く到着するマルチパスの書込み位置及び全てのバッファについての読出し位置の間の距離である。読出し位置はまたシンボル結合器の読出し位置、または単に、シンボル結合器の位置として参照される。
【００６８】
断片的なＰＮロールを持つ休眠期間はシンボル・バッファの書込み及び読出しポインタに影響を及ぼす。図３に示されたように、シンボル・バッファの書込み及び読出し位置（またはアドレス）はそれぞれフィンガ・カウンタ及び結合器カウンタによって提供される。フィンガ・カウンタが休眠から立上がり後（例えば、ＰＮ円の周辺のフィンガ・プロセッサのＰＮ発生器をそれらの適切なＰＮ位相に転回することにより）適切なＰＮ位相に移動されると、シンボル・バッファ内の書込み位置もまた対応して移動する。そして、これはシンボル結合器の深さに影響を及ぼす。適切なシンボル結合器の深さは様々な手法に基づいて休眠から立上がり後も保持される。
【００６９】
第一の手法では、フィンガ・プロセッサ内のＰＮ発生器はシンボル・バッファの大きさの整数倍数でＰＮ円の周辺を転回する。各シンボル・バッファが（例えば、８個のシンボルの）円状バッファとして実施されれば、５１２ＰＮチップの整数倍数である転回は前と同じ書込み位置になる。読出し位置が休眠の後で変らなければ、シンボル結合器の深さは変わらない。
【００７０】
第二の手法では、シンボル結合器の読出し位置は、最も早く到着するマルチパスに割当てられたフィンガ・プロセッサのＰＮロールにシンボル結合器がぴたりと閉まるように強制することによって適切なシンボル結合器の深さに移動する。これはＰＮロールを始動する位置にフィンガ・プロセッサのＰＮ発生器を動かすことによって達成され、それはシンボル結合器の閉込めに使用される。フィンガ・プロセッサによって割当てられたマルチパスを処理するために必要とされる適切なＰＮ位相は（転回された）ＰＮ列をマスクすることによって得られる。
【００７１】
第三の手法では、休眠定量はシンボル・バッファの大きさの整数倍数に等しくなるように選択され、それに対応して休眠期間はシンボル・バッファの大きさの整数倍数になるように定量化される。この手法について、書込み及び読出し位置は休眠から立上がり後で実質的には変わらず、シンボル結合器の深さもまた保持される。この手法は休眠の後所望のシンボル結合器の深さを得るためにシンボル結合器の閉込めの必要性を回避する。上に記述され、８シンボルの大きさを有するシンボル・バッファの設計例について、休眠定量は５１２ＰＮチップまたは４１６．７μｓｅｃになるように選択される。
【００７２】
斯くして、「即時（ｉｎｓｔａｎｔ）」休眠は小さな休眠定量及び殆どいつでも休眠サイクルを始める能力に基づいて行われる。この即時休眠は端末がＱＰＣＨ及びＰＣＨを処理するために立上がりに必要される時間量を低減し、それは電力消費を低減し、そして待機時間を増加させる。
【００７３】
ＯＰＣＨ 上のＰＩビット処理
種々の手法がＱＰＣＨ上のＰＩビット及びＰＣＨ上のページ・メッセージを処理するために使用される。いくつかの手法は以下に記述され、その他のものも検討され、そして本発明の範囲内にある。
【００７４】
第一の手法では、端末は関連するＰＣＨスロットを処理するかどうか決定するため所定のＱＰＣＨ上の両方のＰＩビットを処理する。この手法について、端末についてページ・メッセージが送信されないことを示すＯｆｆビットとして両方のＰＩビットが検出されれば、ＰＣＨは処理されない。それとは別に、いずれかのＰＩビットが抹消（ｅｒａｓｕｒｅ）、またはページ・メッセージが端末に送信されることを示すＯｎビットのいずれかとして検出されれば、ＰＣＨが処理される。抹消は確実に検出されないＰＩビットについて宣言される。この条件は、（１）Ｏｎビットを示すために使用される第一のエネルギー閾値以下で、しかしＯｆｆビットを示すために使用される第二のエネルギー閾値以上のＰＩビットについて検出されたエネルギー、及び／または（２）第三のエネルギー閾値以下の受信パイロットについて検出されたエネルギーによって指示される。この手法は逸失ページ・メッセージの可能性を低減するが、しかしまた多くの電力を消費する。
【００７５】
第二の手法では、検出されたいずれのＰＩビットもページ・メッセージが端末に送信されないことを示すならば、端末はＰＣＨの処理を省略（ｓｋｉｐ）する。この手法について、最初のＰＩビットがＯｆｆビットとして検出されれば、端末は第二ＰＩビットを処理しない。
【００７６】
第三の手法では、端末はＰＣＨを処理するかどうかを決定するために最初の確実に検出されたＰＩビットを使用する。この手法について、端末は最初のＰＩビットが抹消として検出される場合のみ第二のＰＩビット処理する。
【００７７】
第四の手法では、ＰＩビットが確実に検出されることが判断されれば、端末はＰＩビットを単に処理する。この判断はＱＰＣＨチャンネル、パイロット・チャンネル、またはその他のいくつかのチャンネルに基づいている。二つのビットの各々が抹消として処理されないか、または検出されなければ、またはＰＩビットのうち一つがＯｎビットとして検出されれば、端末はＰＣＨを処理する。
【００７８】
第五の手法では、端末は単一のＰＩビット（第一または第二のＰＩビットのいずれか）を検出し、それに従って検出されたＰＩビットに基づきＰＣＨを処理する。
【００７９】
第六の手法では、端末はＱＰＣＨ上のＰＩビットを無視し、それに構わずＰＣＨを処理するために立上がる。
【００８０】
一般に、やがて到来するＰＣＨスロットにおいて端末についてページ・メッセージが送られるかどうかに関して、検出された／検出されないＰＩビットが結論に到達しなければ、端末はＰＣＨを処理するように設計することができる。
【００８１】
図７は発明の実施例によりＱＰＣＨ及びＰＣＨを処理するための時系列表の図である。この実施例では、端末は時間内の殆どあらゆる点で（即ち、１／４のＰＮロール、２６．６７ｍｓのタイミング、または８０ｍｓのタイミングについて境界よりさらに細かな時間内の個別の点で）休眠を始めることができ、また（例えば、５１２ＰＮチイプの）小さな休眠定量に基づいて決定される期間休眠することができる。以下に記述されるように、これは端末が所定のＱＰＣＨスロット中の一対の割当てられたＰＩビット間で休眠すること、及び第二のＰＩビットと関連ＰＣＨスロットとの間でまた休眠することを許容する。
【００８２】
時間Ｔ１で、端末はＱＰＣＨ上のその第一のＰＩビットについて立上がり、マルチパスを再獲得する準備をする。この準備は最後の休眠期間の断片的ＰＮロール部分に基づき探索器についてＰＮ発生器のマスキングを行うこと、及びフィンガ・プロセッサのＰＮ発生器を適切なＰＮ位相に転回することを必要とする。マスキングが設計によって転回を達成しなければ、転回はフィンガ・プロセッサが適切な時間にＰＮロールを続いて生成することを可能にするためにフィンガ・プロセッサのために使用される。フィンガ・プロセッサ（そして探索器ではなく）のＰＮロールはシンボル結合器の閉込めのために使用されるので、転回はこのようにフィンガ・プロセッサのために使用すると有利であり、そしてマスキングは探索器のために使用される。いずれにせよ、それからＱＰＣＨはフィンガ・プロセッサによって処理され、そして端末に割当てられた第一のＰＩビットは時間Ｔ２で検出される。そして、端末は次の必要な立上がり時間まで休眠のために準備し、時間Ｔ３で休眠に入る。
【００８３】
上に記述された第二の手法について、第一のＰＩビットがＯｎビットまたは抹消のいずれかとして検出される場合にのみ、端末は第二のＰＩビットを処理するために立上がる。その他の場合では、端末が第一のＰＩビットを（ページ・メッセージが次のＰＣＨロットにおいて端末について送信されないことを示す）Ｏｆｆビットとして検出すれば、それは端末に割当てられた次のＱＰＣＨスロットにおける第一のＰＩビットの前の時間Ｔ１まで休眠する。
【００８４】
端末が第二のＰＩビットを処理する必要があれば、それは時間Ｔ４で立上がり、そしてそれはマルチパスを再獲得する準備をする。この準備は再び探索器のＰＮ発生器をマスクすること、及び探索器のＰＮ発生器をＴ３及びＴ４の間の最後の休眠期間の断片的なＰＮロール部分に基づいて適切なＰＮ位相に転回することを必要とする。そして、ＱＰＣＨはフィンガ・プロセッサによって処理され、端末に割当てられた第二のＰＩビットが時間Ｔ５で検出される。そして、端末は次に必要とされる立上がり時間まで休眠の準備をし、時間Ｔ６で休眠に入る。
【００８５】
上に記述された第二の手法について、第二のＰＩビットがＯｎビットか抹消のいずれかとして検出されさえすれば、端末はＰＣＨを処理するために立上がり、他の場合は次に割当てられたＱＰＣＨ内の第一のＰＩビットまで休眠する。
【００８６】
端末がＰＣＨを処理することを必要とすれば、時間Ｔ７で立上がり、マルチパスを再獲得する準備をする。この準備はさらに時間Ｔ６及びＴ７の間の最後の休眠期間の断片的ＰＮロール部分に基づいて探索器のＰＮ発生器をマスクすること及びフィンガ・プロセッサのＰＮ発生器を転回させることを必要とする。そして、フィンガ・プロセッサはマルチパスに割当てられＰＣＨタイミング、フレーム・タイミング、及びＰＮタイミングが受信されたＰＣＨのタイミングに時間Ｔ８でリセットされるよう準備される。
【００８７】
時間Ｔ９で、（８０ｍｓ）ＰＣＨタイミング、（２０ｍｓ）フレーム・タイミング、及び（２６．６７ｍｓ）ＰＮタイミングは最も早く到着するマルチパスに関するフィンガ・プロセッサのタイミングに基づいて全てリセット（または閉込め）される。復号器はまた適切な状態に初期化される（例えば、ビタビ復号器は適切な開始状態に初期化される ） 。そして、ＰＣＨはチャンネル上で送信されたページ・メッセージを再生するために処理される。ページ・メッセージの最初のフレームを復号すると、端末はそのメッセージがそれに送られるかどうか、及び／または追加の処理が必要とされるかどうかを決定することができる。端末がＰＣＨを処理し続けるか、または他の動作を行う必要がなければ、次に必要とされる立上がり時間（それは次に割当てられるＱＰＣＨスロット内の最初のＰＩビットである）まで休眠の準備をし、時間Ｔ１０で休眠に入る。
【００８８】
多くの手法がＱＰＣＨ及びＰＣＨ上のデータといった時々送信されるデータを処理するために使用される。例として、時間Ｔ２及びＴ５でＱＰＣＨ上のＰＩビットを検出するいくつかの手法が以下に記述される。時々送信されるデータを処理するその他の手法もまた実行され、本発明の範囲内にある。
【００８９】
第一の手法（「オンライン」手法と言われる）では 、探索は強いマルチパスを見つけるために初めに行われ、そしてフィンガ・プロセッサが検知されたマルチパスに割当てられる。その割当はＰＩビットの信号強度を適切に検出するために所望のＰＩビットの十分に前でなくてはてはならない。各ＰＩビットはＯｎ／Ｏｆｆキーのあるビットとして送信されるので、送信されたＰＩビットの値は（例えば、当技術分野では周知の受信信号強度指示器（ＲＳＳＩ）を用いて）ＰＩビットのエネルギーを決定し、且つ検出されたエネルギーを特定のエネルギー閾値と比較することによって検出される。
【００９０】
第二の手法（「オフライン」手法と言われる）では、所望のＰＩビットの周辺の小さな時間窓におけるデータ標本が獲得され、バッファに蓄積（記憶）される。そして、マルチパスの探索、フィンガ・プロセッサの割当、及びＰＩビットの検出が標本バッファに蓄積されたデータ標本に基づいて行われる。標本バッファの利用は更にアナログ回路（例えば、ＲＦ回路）が作動するために必要な時間量を低減させる。例えば、時間Ｔ１とＴ３の間隔、及び時間Ｔ４とＴ５の間隔は短くなり、結果として休眠期間を増加し、電力消費を低減し、そして待機時間を増加する。
【００９１】
短期間の休眠について、不作動（オフ）にされる回路の量は休眠期間及び回路の要求に依存する。例えば、あるＲＦ回路は適切に準備するのに比較的長い時間（例えば、１０ｍｓｅｃ以上）を必要とする。休眠期間が特定の回路のウォーミングアップ要求より短ければ、その回路は休眠期間中作動状態にすることができる。例えば、二つのＰＩビットが共に近接していれば、または第二のＰＩビットが関連ＰＣＨスロットの開始に近ければ、ＲＦ回路が不作動になる十分な休眠を実行するには時間が不十分である。この場合には、ＲＦ回路はそのままにして、電力を節約するために復調器及び復号器のハードウェアだけを不作動にすることができる。代わりに、復調器及び復号器のハードウェアだけをそのままにしておいてもよく、その場合には、転回またはマスキングが必要とされるであろう。
【００９２】
休眠サイクル
図８は本発明の実施例による休眠サイクルの図である。休眠コントローラが休眠サイクルに入る前に、休眠の期間は現在の時間及び端末が立上がるのに必要な時間（例えば、次のＰＩビットの時間、またはやがて到来するＰＣＨスロットの開始時間）に基づいて決定される。特定の時間量が一般的に休眠を準備する（例えば、休眠期間を決定する、ハードウェアのための制御信号を生成する、等々）のに必要とされる。この準備時間はまちまちな時間量であって、その場合には推定が行われる。そして、推定休眠開始時間は現在の時間に推定準備時間を加えて決定される。休眠期間は所望立上がり時間から推定休眠開始時間を引いて決定される。
【００９３】
復調器及び復号器のハードウェアへのクロック信号は全休眠期間について不能にされる。クロック信号が推定休眠開始時間後まだ（例えば、実際の準備時間は推定より長いので）復調器及び復号器に与えられれば、実際の休眠開始時間及び推定の休眠開始時間の間に誤りが生じる。そして、実際のハードウェア・タイミング（クロックが実際に不能になるとき）は予測される（クロックが推定休眠開始時間に不能になると仮定する）ハードウェア・タイミングに先んじているであろう。補完的現象が立上がりで発生し、そしてクロックは所望の立上がり時間の少し後までハードウェアに与えられない。そして、これは実際の立上がり時間及び所望の立上がり時間の間の誤りになる。「休眠に行く（ｇｏｉｎｇ ｔｏ ｓｌｅｅｐ）」誤りは「休眠から立上がる（ｗａｋｉｎｇ ｕｐ ｆｒｏｍ ｓｌｅｅｐ）」誤りに等しいから、クロックが再び印加されるとき、ハードウェア・タイミングは予測されたごとくである。
【００９４】
図８で示されたように、所望されるより後での立上がりを避けるために、準備時間は予測される動作状況について悪い場合の準備時間として推定される。
【００９５】
これとは逆のことが発生し、（例えば、実際の準備時間が推定より短いため）実際の休眠開始時間が推定の休眠開始時間より早ければ、実際のハードウェア・タイミング（クロックが不能になるとき）は予測されるハードウェア・タイミングの後になる。しかしながら、補完的現象が立上がりで発生し、「休眠に行く」誤りを帳消しにする。二つの誤りは等しいので、ハードウェア・タイミングはクロックが再び印加されるとき予測されたようになる。
【００９６】
即時休眠からの立上がり
あるタスクは休眠から立上がるとき一般的に実行される。割込み信号は休眠からの立上がりを指示するために主コントローラに供給される。そして、主コントローラは再獲得処理を開始するために指示としてこの割込み信号を使うであろう。いくつかの端末のハードウェア設計について、この割込み信号はＰＮロールがシンボル結合器において発生するとき生成され、それは最も早く到着するフィンガから４または６シンボルだけ遅くなる。
【００９７】
通常に行われるように、端末がＰＮロールのとき休眠するよう作動されれば、クロックが元に戻るので、上述のハードウェアは立上がりでＰＮロール中断信号を生成する。この中断信号は、クロックが元に戻るので、再獲得処理が始められることを主コントローラに報知する。
【００９８】
「即時（ｉｎｓｔａｎｔ）」休眠によって、端末はＰＮロールの際休眠する必要はない。従って、前述のハードウェア設計について、ＰＮロールが起こらなければＰＮロール中断信号はクロックが元に戻るとき生成されない。特に、ハードウェア・タイミングはそれが休眠させられたとき、ＰＮロールから特定の期間（例えば 、５ｍｓ）ほどになる。立上がりでクロックがハードウェアに再び印加されるとき、ＰＮロールはこの特定時間期間（例えば 、５ｍｓ）後に発生し、そしてＰＮロール中断信号はこのＰＮロールが起こるまで生成されない。次のＰＮロール待ちのこの時間期間の浪費を避けるために、立上がりで再獲得を始めるように主コントローラに報知するために別の信号が使用される。
【００９９】
第一の手法では、立上がりでクロックが元に戻るとき、追加のハードウェアが中断信号を生成するために提供される。この中断信号は、例えば、クロック発生器３６６によって生成され、図３のコントローラ２６０に直接供給される。この手法は新しいハードウェア設計について実行されるが、しかし現存のハードウェア設計には実用的ではない。
【０１００】
第二の手法では、次のＰＮロールの前の余分の時間はＲＦ回路のウォーミングアップ期間に吸収される。例えば、ＲＦ回路のウォーミングアップ期間が３０ｍｓであり、ハードウェアがＰＮロールの２０ｍｓ前に休眠に行くならば、プログラムされたウォーミングアップ時間は１０ｍｓ（即ち、３０ｍｓ−２０ｍｓ）まで減少する。この場合には、立上がり後１０ｍｓ、休眠コントローラはクロックを有効にし、そして復調器のハードウェアは動作可能になる。それから２０ｍｓ後、ＰＮロール中断信号が復調器のハードウェアによって生成され、そしてＲＦウォーミングアップ期間の終りとほぼ一致するであろう。この点で、主コントローラは再獲得を開始し、そしてＲＦ回路はまた準備が整う。ＲＦウォーミングアップ時間が「 次のＰＮロール待ち（ｗａｉｔ−ｆｏｒ−ｎｅｘｔ−ＰＮ−ｒｏｌｌ）」時間を超過すれば、この手法が使用される。
【０１０１】
第三の手法では、探索器は休眠からの立上がり直後中断信号を生成するようにプログラムされる。休眠に行く前に、探索器は小探索を行うようにプログラムされる。そして、休眠コントローラはクロックを止め、それは探索器の状態を凍結させる。休眠コントローラがクロックを再可動にすると、探索器は動作を続け、最後の休眠の前に前以ってプログラムされた小探索を終了させ、そしてダンプ割込みを生成する。主コントローラは探索結果を無視するであろうが、しかしクロックが元に戻されたことを探索ダンプ割込みから判断することができる。小探索は、探索が終了する前に休眠コントローラがクロックを止める（そして探索器を不能にする）ことを保証するために十分に長くなければならないが、しかし立上がり後できるだけ直ぐに再可動クロックを主コントローラが報知されるためにできるだけ短くなければならない。
【０１０２】
図９は本発明の実施例によって休眠を行う処理９００のフローチャートである。初めに、ステップ９１２で、休眠条件が確認される。休眠は、例えば、現在の時間と次の処理時間との間の時間差が特定の閾値時間に等しいか、または長いかどうかといった、様々な条件及び事象により始動される。実施例では、この閾値時間は４分の１ＰＮロールより小さい（即ち、４分の１ＰＮ列長より小さい）。
【０１０３】
休眠条件が確認されれば、休眠期間及び休眠開始時間がステップ９１４で決定される。休眠期間はＰＮロールの非整数倍数で、休眠期間の断片的な部分は４分の１ＰＮロールより少ない。休眠期間及び休眠開始時間は上に記述されたように決定される。ステップ９１６では、端末は決定された期間の間、且つ決定された開始時間でおおよそ始まる休眠を実行する。
【０１０４】
ここに記述された技術はＱＰＣＨ上で送信されるＰＩビットを検出するために使用されると有利である。比較的細かな増分（例えば、５１２ＰＮチップの整数倍数）において休眠期間を選択し、且ついつでも丁度休眠を始め、且つ立上げる能力によって、端末は同じＱＰＣＨ上の一対の割当てられたＰＩビットの間、または割当てられたＰＩビットとＰＣＨスロットの開始の間で休眠を実行する。立上がって、且つ単一のＰＩビットを処理する能力によって、電力消費は低減され、待機時間は延長される。
【０１０５】
図１０は本発明の実施例によって、ＱＰＣＨ上のＰＩビットを検出する処理１０００のフローチャートである。処理１０００は一般に図７で示された時系列表に適合する。初めに、端末が立上がり、ステップ１０１２で最初のＰＩビットを処理する。ステップ１０１４で決められたように、最初のＰＩビットがＯｆｆビットとして検出されれば、処理はステップ１０２８に進む。そうでない場合は、端末はステップ１０１６で同じＱＰＣＨスロット上の第二のＰＩビットまで休眠を行う。この短期間休眠はここに記述された技術を用いて達成できる。
【０１０６】
ステップ１０１８で、端末が立上がって、第二のＰＩビットを処理する。ステップ１０２０で決められたように、第二のＰＩビットがＯｆｆビットとして検出されれば、処理はステップ１０２８に進む。そうでない場合は、端末はステップ１０２２で関連するＰＣＨスロットの開始まで休眠を行う。そして、ステップ１０２４で端末は立上がって、関連するＰＣＨスロット上のページ・メッセージを処理する。ステップ１０２６で決められたように、追加の動作を実行する必要があることを受信メッセージが示すならば、端末はステップ１０２６に留まり、そしてページング・チャンネルを処理し続け、且つ／または必要な動作を実行する。そうでない場合は、ステップ１０２８で、端末は次に割当てられるＱＰＣＨスロットの最初の ＰＩビットまで別の休眠を行う。そして、処理は終了する。
【０１０７】
ここに記述された技術はあるＰＩビットから別のＰＩビットまで、ＰＩビットからＰＣＨスロットの開始まで、及びＰＣＨスロットからＰＩビットまで休眠するために使用される。これらの技術は端末がＰＣＨを監視するときＱＰＣＨ動作のために使用される。上で述べたように、これらの技術は時々送信される他の型のデータに使用される。例えば、（ＰＣＨスロットと同じように）８０ｍｓｅｃ境界で始まる同報スロットで発生する、同報メッセージを端末はまた監視する。しかしながら、同報スロットは（現在）同報スロットの１００ｍｓｅｃで始まるＱＰＣＨ中に指標ビットを持たない。ここに記述された技術を使用して、ＰＩビットがゼロとして検出されれば、アクセス端末はある特定の期間休眠し、同報スロットのために立上がる。
【０１０８】
明確にするために、本発明の様々な形態及び実施例がＩＳ−９５及びｃｄｍａ２０００について記述されてきた。ここに記述された技術はまた他のＣＤＭＡ及び無線通信システムに使用される。例えば、これらの技術は、ページング指標（Ｗ−ＣＤＭＡではユーザ設備（ｕｓｅｒ ｅｑｕｉｐｍｅｎｔ ：ＵＥ）といわれる）を端末に送信するために使用されるページング指標チャンネル（ＰＩＣＨ）をまた提言する、Ｗ−ＣＤＭＡシステムで使用される。様々な差異がｃｄｍａ２０００及びＷ−ＣＤＭＡの間に存在し、そしてここに記述された技術はＷ−ＣＤＭＡで使用のために修正される。例えば、Ｗ−ＣＤＭＡは送信の前にデータを拡散するため長さ３８，６４０のチップの（ＰＮ列に代わる）スクランブル列を使用する。
【０１０９】
ここに記述された技術は様々な手段によって実施される。例えば、その技術はハードウェア、ソフトウェア、またはそれらの組合せで実施される。ハードウェア実施について、休眠を行い、且つ時々送信される様々な型のデータを処理するために使用される要素は一以上の特定用途向け集積回路（ＡＳＩＣ）、ディジタル信号プロセッサ（ＤＳＰ） 、ディジタル信号処理デバイス（ＤＳＰＤ）、プログラマブル論理デバイス（ＰＬＤ）、コントローラ、マイクロコントローラ、マイクロプロセッサ、ここに記述された機能を実行するように設計された他の電子ユニット、またはそれらの組合せで実行される。
【０１１０】
ソフトウェア実施について、休眠を行い、且つ時々送信される様々な型のデータを処理するために使用される要素はここに記述された機能を実行するモジュール（例えば、手順、機能、等々）によって実施される。ソフトウェア符号はメモリ・ユニット（例えば、図２におけるメモリ２６２）に記憶され、そしてプロセッサ（例えば、主コントローラ２６０及び／または休眠コントローラ３６４）によって実行される。メモリ・ユニットはプロセッサ内またはプロセッサの外に実施され、後者の場合には当技術分野では周知の種々の手段を介してプロセッサに接続して伝送できる。
【０１１１】
先述の好ましい実施例はこの技術分野に熟達する者が本発明を為しまたは使用を可能にするために提供される。これらの実施例に対する種々の変形はこの技術分野に熟達する者には直ちに明白であり、この中に定義された一般原理は本発明の精神または範囲から逸脱することなく他の実施例に適用可能である。このように、本発明はこの中に示された実施例に限定されると解釈されるものではなく、この中に開示された原理及び新規な特徴と両立する広範な領域を認容するものである。
【図面の簡単な説明】
【図１】多数の基地局と端末をもつ無線通信システムの図である。
【図２】基地局及び端末の実施例の単純化されたブロック図である。
【図３】レーク受信器及び休眠回路の実施例のブロック図である。
【図４】ｃｄｍａ２０００によって定義された迅速なページングチャンネル（ＱＰＣＨ）及びページング・チャンネル（ＰＣＨ）の図である。
【図５Ａ】休眠の前、受信された信号をもつＰＮ円の図である。
【図５Ｂ】休眠から立上がった後、受信された信号をもつＰＮ円の図である。
【図５Ｃ】立上がった際再獲得の後、受信された信号をもつＰＮ円の図である。
【図６】レーク受信器内のシンボル・バッファの書込み及び読取りを図式的に例示する図である。
【図７】本発明の実施例によるＱＰＣＨ及びＰＣＨを処理する時系列表の図である。
【図８】休眠サイクルの図である。
【図９】休眠を行う処理の流れの図である。
【図１０】本発明の実施例によるＱＰＣＨ上でＰＩを検出する処理の流れの図である。
【符号の説明】
１０２…地理的領域　１０４…基地局　１０６…端末
【図１】
2004510385.tif 000003
【図２】
2004510385.tif 000004
【図３】
2004510385.tif 000005
【図４】
2004510385.tif 000006
【図５Ａ】
2004510385.tif 000007
【図５Ｂ】
2004510385.tif 000008
【図５Ｃ】
2004510385.tif 000009
【図６】
2004510385.tif 000010
【図７】
2004510385.tif 000011
【図８】
2004510385.tif 000012
【図９】
2004510385.tif 000013
【図１０】
2004510385.tif 000014
【国際公開パンフレット】
2004510385.tif 000015
2004510385.tif 000016
2004510385.tif 000017
2004510385.tif 000018
2004510385.tif 000019
2004510385.tif 000020
2004510385.tif 000021
2004510385.tif 000022
2004510385.tif 000023
2004510385.tif 000024
2004510385.tif 000025
2004510385.tif 000026
2004510385.tif 000027
2004510385.tif 000028
2004510385.tif 000029
2004510385.tif 000030
2004510385.tif 000031
2004510385.tif 000032
2004510385.tif 000033
2004510385.tif 000034
2004510385.tif 000035
2004510385.tif 000036
2004510385.tif 000037
2004510385.tif 000038
2004510385.tif 000039
2004510385.tif 000040
2004510385.tif 000041
2004510385.tif 000042
2004510385.tif 000043
2004510385.tif 000044
2004510385.tif 000045
2004510385.tif 000046
2004510385.tif 000047
2004510385.tif 000048
2004510385.tif 000049
2004510385.tif 000050
2004510385.tif 000051
2004510385.tif 000052
2004510385.tif 000053
2004510385.tif 000054
【国際公開パンフレット（コレクトバージョン）】
2004510385.tif 000055
2004510385.tif 000056
【国際調査報告】
2004510385.tif 000057
2004510385.tif 000058
2004510385.tif 000059